(57)【特許請求の範囲】
【請求項１】
原稿の画像を読み取って画像データに変換する画像読取手段と、原稿の両面に画像が記録されていることを示す識別マークである両面記録マークが付加された原稿の画像を片面原稿として記録し又は送信する場合に、上記画像読取手段によって変換された画像データから上記両面記録マークの画像データを削除する削除手段と、上記削除手段によって上記両面記録マークが削除された画像データの画像を記録し又は送信する手段とを備えたことを特徴とする画像処理装置。
【発明の詳細な説明】
【０００１】
【発明の属する技術分野】
本発明は、両面記録機能又は両面読取機能を有するコピー機又はコピー機能付きファクシミリ装置などの画像処理装置に関する。
【０００２】
【従来の技術】
従来、コピー機やコピー機能付きファクシミリ装置においては、片面原稿又は両面原稿をそれぞれ記録紙の両面に記録する両面記録機能を有し、この機能では、記録紙の第１の面の記録後に、当該記録紙を反転機構を用いて記録紙を反転させた後、その第２の面に記録を行っている。また、両面原稿を記録紙の片面又は両面に記録する場合においては、イメージリーダーにおいて反転機構を有し、この場合、原稿の第１の面を読み取った後に、原稿を反転機構を用いて反転させた後、その第２の面を読み取っている。
【０００３】
【発明が解決しようとする課題】
しかしながら、裏紙を使用した原稿の場合は、両面に印字されており、どの面をコピーするかを確認した上でその片面のみを読み取ってコピーする。また、両面に印字された原稿においても、両面原稿であることを確認した上で、コピー操作をする必要がある。すなわち、どちらにしても、原稿をいちいち確認する必要があるという問題点があった。
【０００４】
本発明の目的は以上の問題点を解決し、両面記録時又は両面読取時において原稿を確認する必要がなく画像処理を実行することができる画像処理装置を提供することにある。
【０００７】
【課題を解決するための手段】
本発明に係る画像処理装置は、原稿の画像を読み取って画像データに変換する画像読取手段と、原稿の両面に画像が記録されていることを示す識別マークである両面記録マークが付加された原稿の画像を片面原稿として記録し又は送信する場合に、上記画像読取手段によって変換された画像データから上記両面記録マークの画像データを削除する削除手段と、上記削除手段によって上記両面記録マークが削除された画像データの画像を記録し又は送信する手段とを備えたことを特徴とする。
【０００８】
【発明の実施の形態】
以下、図面を参照して本発明に係る実施形態について説明する。
【０００９】
＜実施形態＞
図１は、本発明に係る実施形態である、コピー機能を有するファクシミリ装置２０の構成を示すブロック図である。この実施形態のファクシミリ装置２０は、少なくとも２つの画像データの画像をそれぞれ記録紙の両面に記録する場合に、上記２つの画像データにそれぞれ、記録紙の両面に画像が記録されていることを示す識別マークである両面記録マーク（図３参照。）の画像データを挿入して、挿入された両面記録マーク付きの２つの画像データの画像をそれぞれ記録紙の両面に記録することを特徴としている。また、パターン認識部９は、画像読取部２によって変換された画像データに、上記両面記録マークが含まれているか否かを判断し、ＹＥＳのときは、原稿を図２の反転機構１００を用いて反転した後、画像読取部２は、上記原稿の裏面の画像をも自動的に読み取って画像データに変換することを特徴としている。さらには、上述のように両面記録マークが付加された原稿を片面原稿として記録し又は送信する場合に、画像読取部２によって変換された画像データから上記両面記録マークの画像データを削除した後、上記両面記録マークが削除された画像データを画像記録部３を用いて記録紙に記録し又はファックスモデム１０を用いてファクシミリ送信することを特徴としている。
【００１０】
図１において、ファクシミリ装置２０は、コピー機能付きファクシミリ装置であって、従来のＧ３方式等のファクシミリ通信機能を備えるとともに、両面記録機能及び両面読取機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。ここで、画像読取部２は両面読取りのために原稿を反転させるための、図２の反転機構１００を備えている。
【００１１】
図２の反転機構１００では、両面読取時において、経路変更爪８１が実線の位置に位置し、原稿台６０上に載置された原稿６０が送りローラー７１，７２及びベルト７６により矢印１０１に示すようにプラテンガラス６２上に導かれた後、プラテンガラス６２の直下に配置されたＣＣＤリニアセンサ７０が副走査方向に移動することにより、原稿５０の第１の面（おもて面）の画像が読み取られる。次いで、経路変更爪８１は若干回転して破線の位置に位置し、また、経路変更爪８２は実線の位置に位置し、このとき、プラテンガラス６２上の原稿は、送りローラー７１，７２の逆の回転及びベルト７６の逆方向の移動により，矢印１０２に示すように反転ローラー７３，７４に向かって移動した後、これら反転ローラー７３，７４の矢印２０１，２０２の方向の回転により、矢印１０３に示すように、反転ホルダー６１上に導かれる。次いで、経路変更爪８２，８１はともに破線の位置に位置し、反転ホルダー６１上の原稿は、反転ローラー７３，７４の矢印２０３，２０４の方向の回転により、矢印１０４，１０５に示すように、反転台６３に導かれた後、送りローラー７７の回転及び送りローラー７１，７２の回転及びベルト７６の移動により、矢印１０６に示すように、プラテンガラス６２に上に導かれる。そして、ＣＣＤリニアセンサ７０が副走査方向に移動することにより、原稿５０の第２の面（裏面）の画像が読み取られる。従って、反転機構１００では、原稿５０の第１の面を読み取った後、原稿を反転して、原稿５０の第２の面を読み取るように構成されている。
【００１２】
画像記録部３は電子写真方式等のプリンタ装置であり、他のファクシミリ装置からファクシミリ通信により受信したイメージデータをハードコピーとしてプリントアウトして記録する。ここで、画像記録部３は両面記録のために記録紙を反転させるための、上記反転機構１００と同様の構成を有する記録紙の反転機構を備えている。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１３】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーのうちの一部又は全部を代用するように構成してもよい。
【００１４】
ＲＯＭ６は、当該ファクシミリ装置２０の動作に必要であって主制御部１によって実行される種々のソフトウェアのプログラムを予め格納し、ここで、当該プログラムは、少なくとも図４のコピー処理、並びに図５及び図６のコピー処理及びファクシミリ送信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１５】
図３（ａ）、（ｂ）、（ｃ）、（ｄ）、（ｅ）及び（ｆ）はそれぞれ図１のファクシミリ装置２０で使用される両面記録マークの一例を示す図である。これらの両面記録マークは、両面記録時に、例えば、記録紙の右上、左上、右下、又は左下に記録され、これらの両面記録マークは記録紙が例えば９０度回転して読み取る場合であっても、そのパターンを読み取りやすい白黒の変化パターンとなっている。この両面記録マークの画像データは、マークパターンメモリ９ａに予め記憶される。なお、図３においてハッチングで示している部分は例えば黒で塗りつぶしてもよい。この両面記録マークの記録は、主制御部１の画像処理により、読み取った原稿の画像データに対して、マークパターンメモリ９ａ内の両面記録マークの画像データを原稿画像データの所定の位置に重ね書きにより挿入することにより挿入した後、両面記録マークが付加された画像データの画像を画像記録部３により記録紙に記録することにより行われる。
【００１６】
パターン認識部９は、公知のパターン認識方法を用いて、画像読取部２によって変換された原稿画像データの中の両面記録マークの画像データと、マークパターンメモリ９ａに予め記録されている両面記録マークの画像データとを比較することにより、所定の画像データの画素値の一致の度合いが所定のしきい値以上であるときに、原稿画像に両面記録マークが記録されていると判断し、その判断結果を主制御部１に知らせる。
【００１７】
ファックスモデム１０は、公衆電話回線Ｌに接続され、ファクシミリ通信用のファックスモデムの機能を有するモデムであり、特に、独自モードで両面のファクシミリ送信であることを、例えば、非標準機能識別信号（ＮＳＦ）に独自コマンドで受信側のファクシミリ装置に報知して両面のファクシミリ送信を行う機能を有し、この機能では、ページ番号情報に代えてページ番号とおもて又は裏の情報を伝送して行う。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００１８】
以上のように構成された本実施形態のファクシミリ装置２０は、通常のＧ３方式等のファクシミリ通信機能に加えて、コピー機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。また、コピー機能においては、画像読取部２により読み取られたドットイメージデータは画像メモリ８に一旦記憶された後、画像記録部３に出力されて記録紙に記録される。
【００１９】
図４は、図１のファクシミリ装置２０の主制御部１によって実行されるコピー処理を示すフローチャートである。図４において、まず、ステップＳ１において原稿枚数パラメータＮに１をセットし、次いで、ステップＳ２において両面コピーか否かが判断され、ＹＥＳのときはステップＳ３に進む一方、ＮＯのときはステップＳ１１に進む。ステップＳ３においては、画像読取部２によりＮ枚目の原稿を読み取って画像データに変換して画像メモリ８に記憶し、ステップＳ４において上記画像データの右上に、マークパターンメモリ９ａ内の両面記録マークの画像データを挿入した後、画像記録部３により上記両面記録マーク付きの画像データの画像を記録紙に記録する。次いで、ステップＳ５において記録紙を反転機構を用いて反転し、ステップＳ６において画像読取部２により２Ｎ枚目の原稿を読み取って画像データに変換して画像メモリ８に記憶する。そして、ステップＳ７において上記変換された画像データの右上に、両面記録マークの画像データを挿入した後、画像記録部３により上記両面記録マーク付きの画像データの画像を記録紙に記録し、ステップＳ８に進む。
【００２０】
一方、ステップＳ２でＮＯのときは、ステップＳ１１において画像読取部２によりＮ枚目の原稿を読み取って画像データに変換して画像メモリ８に記憶した後、ステップＳ１２において画像記録部３により上記変換された画像データを記録紙に記録し、ステップＳ８に進む。ステップＳ８では、すべての原稿をコピーしたか否かが判断され、ＮＯであるときは、ステップＳ９で原稿枚数パラメータＮを１だけインクリメントした後、ステップＳ２に戻り、上述の処理を繰り返す。一方，ステップＳ８でＹＥＳのときは、当該コピー処理を終了する。
【００２１】
図５及び図６は、図１のファクシミリ装置２０の主制御部１によって実行されるコピー及びファクシミリ送信処理を示すフローチャートである。この処理は、原稿に両面記録マークが記録されている可能性があるときに、コピー又はファクシミリ送信する場合に実行される。図５において、まず、ステップＳ２１において原稿枚数パラメータＮが１にセットされ、ステップＳ２２において画像読取部２により原稿のおもて面を読み取って画像データに変換して画像メモリ８に記憶する。次いで、ステップＳ２３においてパターン認識部９により上記変換された画像データに両面記録マークが含まれているか否かについて判断され、ＹＥＳのときは両面記録マークを検出して原稿が両面記録されているので、両面コピー又は両面ファクシミリ送信するための処理を行うためにステップＳ２４に進む。一方、ステップＳ２３でＮＯのときは、原稿は片面記録なので、片面コピー又は片面の通常のファクシミリ送信するための処理を行うためにステップＳ２６に進む。
【００２２】
ステップＳ２４では、図２の反転機構１００を用いて原稿を反転し、ステップＳ２５において画像読取部２により原稿の裏面を読み取って画像データに変換して画像メモリ８に格納して、図６のステップＳ３１に進む。また、ステップＳ２６においてコピーか否かが判断され、ＹＥＳのとき（コピーのとき）は、ステップＳ２７においてＮ枚目の記録紙に、上記ステップＳ２２で画像メモリ８に記憶した画像データの画像を記録した後、図６のステップＳ３９に進む。さらに、ステップＳ２６でＮＯ（ファクシミリ送信）のときは、ステップＳ２８において，上記ステップＳ２２で画像メモリ８に記憶した画像データを、ファックスモデム１０を用いて第Ｎページとしてファクシミリ送信し、図６のステップＳ３９に進む。
【００２３】
図６のステップＳ３１において片面出力か否かが判断され、ＹＥＳのときはステップＳ３２に進む一方、ＮＯ（両面出力）のときはステップＳ４１に進む。ステップＳ３２では、おもて面の画像データから両面記録マークを削除し、ステップＳ３３では、裏面の画像データから両面記録マークを削除した後、ステップＳ３４においてコピーか否かが判断される。ステップＳ３４でＹＥＳのときはステップＳ３５に進む一方、ＮＯ（ファクシミリ送信）のときはステップＳ３７に進む。
【００２４】
ステップＳ３５では画像記録部３によりＮ枚目の記録紙のおもて面に、両面印字マークが削除されたおもて面の画像データの画像を記録し、ステップＳ３６において画像記録部３により２Ｎ枚目の記録紙の裏面に、両面印字マークが削除された裏面の画像データの画像を記録した後、ステップＳ３９に進む。一方、ステップＳ３７では、ファックスモデム１０を用いておもて面の画像データを第Ｎページとしてファクシミリ送信し、ステップＳ３８において裏面の画像データを第２Ｎページとしてファクシミリ送信した後、ステップＳ３９に進む。
【００２５】
ステップＳ４１においてコピーか否かが判断され、ＹＥＳ（コピー）のときは、ステップＳ４２で画像記録部３によりおもて面の画像データをＮ枚目の記録紙のおもて面に記録し、ステップＳ４３で反転機構により記録紙を反転し、ステップＳ４４において画像記録部３により裏面の画像データをＮ枚目の記録紙の裏面に記録し、ステップＳ３９に進む。一方，ステップＳ４１でＮＯ（ファクシミリ送信）のときは、ステップＳ４５でファックスモデム１０を用いておもて面の画像データを第Ｎページのおもてとしてファクシミリ送信し、ステップＳ４６において裏面の画像データを第Ｎページの裏としてファクシミリ送信した後、ステップＳ３９に進む。
【００２６】
ステップＳ３９において、すべての原稿を読み取ったか否かが判断され、ＮＯのときは次の原稿を読み取るために、図５のステップＳ２９において原稿枚数パラメータＮを１だけインクリメントして、ステップＳ２２に戻り、上述の処理を繰り返す。一方，ステップＳ３９でＹＥＳのときは、当該コピー及びファクシミリ送信処理を終了する。
【００２７】
以上説明したように、本実施形態によれば、少なくとも２つの画像データの画像をそれぞれ記録紙の両面に記録する場合に、上記２つの画像データにそれぞれ、記録紙の両面に画像が記録されていることを示す識別マークである両面記録マークの画像データを挿入して、挿入された両面記録マーク付きの２つの画像データの画像をそれぞれ記録紙の両面に記録するので、記録が裏面も有効であることが一目瞭然であり、表裏どちらを見ても裏に記録があることがわかる。
【００２８】
また、パターン認識部９は、画像読取部２によって変換された画像データに、上記両面記録マークが含まれているか否かを判断し、ＹＥＳのときは、原稿を図２の反転機構１００を用いて反転した後、画像読取部２は、上記原稿の裏面の画像をも自動的に読み取って画像データに変換するので、裏面に記録がある原稿を自動的に両面読取りすることができ、操作者の操作を必要とせず、操作性を向上させることができる。
【００２９】
さらには、上述のように両面記録マークが付加された原稿を片面原稿として記録し又は送信する場合に、画像読取部２によって変換された画像データから上記両面記録マークの画像データを削除した後、上記両面記録マークが削除された画像データを画像記録部３を用いて記録紙に記録し又はファックスモデム１０を用いてファクシミリ送信するので、両面記録原稿を片面に記録や送信する場合において、両面記録マークを削除するので、片面原稿を両面と誤解することを防止することができる。
【００３０】
＜変形例＞
以上の実施形態の図４のコピー処理では、画像読取部３により読み取った原稿画像に対して、両面コピーのときに両面記録マークを記録しているが、本発明はこれに限らず、両面ファクシミリ送信のときに、画像読取部３により読み取った原稿画像に対して両面記録マークを記録してもよい。もしくは、両面ファクシミリ受信のときに、ファックスモデム１０を用いて受信された画像データに対して両面記録マークを記録してもよい。
【００３１】
以上の実施形態の図５及び図６のコピー及びファクシミリ送信処理においては、画像読取部３により読み取った原稿画像について両面記録マークの検出を行ってステップＳ２５以降の処理を行っているが、本発明はこれに限らず、ファックスモデム１０により受信された画像データについて両面記録マークの検出を行ってステップＳ２５以降の処理を行ってもよい。
【００３２】
以上の実施形態においては、両面記録マークは、記録紙の両面とも同一の識別マークを記録しているが、本発明はこれに限らず、おもて面と裏面を識別できるように互いに異なる識別マークを記録するようにしてもよい。
【００３３】
以上の実施形態においては、ファクシミリ装置２０の例について述べているが、本発明はこれに限らず、公衆電話網又は公衆デジタル回線網などの公衆網に接続された、例えば電話機、データ通信装置などを含む通信端末装置や、コピー機などの画像処理装置に適用することができる。
【００３６】
【発明の効果】
以上詳述したように本発明に係る画像処理装置によれば、原稿の画像を読み取って画像データに変換する画像読取手段と、原稿の両面に画像が記録されていることを示す識別マークである両面記録マークが付加された原稿の画像を片面原稿として記録し又は送信する場合に、上記画像読取手段によって変換された画像データから上記両面記録マークの画像データを削除する削除手段と、上記削除手段によって上記両面記録マークが削除された画像データの画像を記録し又は送信する手段とを備える。従って、両面記録原稿を片面に記録や送信する場合において、両面記録マークを削除するので、片面原稿を両面と誤解することを防止することができる。
【図面の簡単な説明】
【図１】  本発明に係る実施形態である、コピー機能を有するファクシミリ装置２０の構成を示すブロック図である。
【図２】  図１のファクシミリ装置２０に備えられる反転機構１００の構成を示す断面図である。
【図３】（ａ）、（ｂ）、（ｃ）、（ｄ）、（ｅ）及び（ｆ）はそれぞれ図１のファクシミリ装置２０で使用される両面記録マークの一例を示す図である。
【図４】  図１のファクシミリ装置２０の主制御部１によって実行されるコピー処理を示すフローチャートである。
【図５】  図１のファクシミリ装置２０の主制御部１によって実行されるコピー及びファクシミリ送信処理の第１の部分を示すフローチャートである。
【図６】  図１のファクシミリ装置２０の主制御部１によって実行されるコピー及びファクシミリ送信処理の第２の部分を示すフローチャートである。
【符号の説明】
１…主制御部、
２…画像読取部、
３…画像記録部、
６…ＲＯＭ、
７…ＲＡＭ、
８…画像メモリ、
９…パターン認識部、
９ａ…マークパターンメモリ、
１０…ファックスモデム、
１１…ＮＣＵ、
２０…ファクシミリ装置、
１００…反転機構、
Ｌ…公衆電話回線。
【図１】
0003799828.tif 000002
【図２】
0003799828.tif 000003
【図３】
0003799828.tif 000004
【図４】
0003799828.tif 000005
【図５】
0003799828.tif 000006
【図６】
0003799828.tif 000007